(57)【要約】      （修正有）【課題】薄型で剛性が高く、対物レンズが動作した時の対物レンズの傾きが小さく、かつ作業性に優れた対物レンズ駆動装置を提供し、それを用いたディスク装置において、ディスクへの情報記録の高密度化と高速化および装置の薄型化を可能にする。【解決手段】レンズホルダ本体７３２mを複数本の支持部材７３４p,７３４cのうち４隅に配置される４本の支持部材７３４pが貫通して固定される貫通部を有する突起７３２３を備えたレンズホルダ本体７３２mと、複数の支持部材７３４p,７３４cのうち中間に配置される２本の支持部材７３４cが貫通して固定される貫通部を有する分割部材７３２sをレンズホルダ本体７３２mとは別体に備え、この分割部材７３２sをレンズホルダ本体７３２mと結合させて構成する。【選択図】図１
2010244647.tif 000002
【特許請求の範囲】
【請求項１】
光ディスクの記録面に光を集光する対物レンズと、この対物レンズを取付けたレンズホルダと、前記対物レンズをフォーカシング方向に動作させるためのフォーカシングコイルと、前記対物レンズをトラッキング方向に動作させるためのトラッキングコイルと、前記対物レンズをラジアルスキュー方向に動作させるためのチルトコイルと、前記レンズホルダを固定部に対して前記フォーカシング方向とトラッキング方向およびラジアルスキュー方向に動作可能に支持するための複数本の支持部材とを備えた対物レンズ駆動装置において、
前記レンズホルダは複数本の支持部材のうち４隅に配置される４本の支持部材が貫通して固定される貫通部を有する突起を備えた本体と、前記複数の支持部材のうち中間に配置される２本の支持部材が貫通して固定される貫通部を有する分割部材を前記本体とは別体に備え、この分割部材は前記本体と結合する構成となっていることを特徴とする対物レンズ駆動装置。
【請求項２】
請求項１に記載の対物レンズ駆動装置において、
前記フォーカシングコイルは、前記レンズホルダの本体の外縁部に前記対物レンズの光軸方向に並んだ前記突起の間に、前記対物レンズを囲むように前記レンズホルダの本体の外周に沿って巻回された１個のコイルで構成され、前記レンズホルダの分割部材は、前記フォーカシングコイルの上から外縁部に前記対物レンズの光軸方向に並んだ前記突起の間に結合されていることを特徴とする対物レンズ駆動装置。
【請求項３】
請求項１又は請求項２のいずれかに記載の対物レンズ駆動装置において、
前記チルトコイルは、前記対物レンズの光軸に平行で、かつ前記対物レンズの光軸に対してトラッキング方向の一方にずれた位置に巻回し中心を有する１個のコイルで構成されることを特徴とする対物レンズ駆動装置。
【請求項４】
請求項３記載の対物レンズ駆動装置において、
前記チルトコイルは、前記レンズホルダの本体の前記対物レンズを取付ける面に対向した開口面の外郭から前記対物レンズの光軸に平行で、前記対物レンズから遠ざかる方向に延長した延長部に巻回されていることを特徴とする対物レンズ駆動装置。
【請求項５】
請求項１乃至４のいずれかに記載の対物レンズ駆動装置において、
前記トラッキングコイルは、前記支持部材と平行な法線ベクトルを有する前記レンズホルダの本体の２つの側面のそれぞれに、前記対物レンズの光軸に対して点対称の配置となるよう前記対物レンズの光軸に対してトラッキング方向の互いに異なる方向へずれた位置に１個ずつ巻回しされた２個のコイルで構成されていることを特徴とする対物レンズ駆動装置。
【請求項６】
請求項５記載の対物レンズ駆動装置において、
前記トラッキングコイルは、前記レンズホルダの本体の２つの側面の、前記フォーカシングコイルの巻回部を跨いで設けた凸部に巻回されていることを特徴とする対物レンズ駆動装置。
【請求項７】
請求項１乃至請求項６のいずれかに記載の対物レンズ駆動装置を用いたことを特徴とするディスク装置。
【発明の詳細な説明】
【技術分野】
【０００１】
本発明は、対物レンズ駆動装置およびそれを用いたディスク装置に関するものである。
【背景技術】
【０００２】
ディスク状の情報記録媒体に情報を記録し、または記録された情報を再生するディスク装置では、光ディスクを高速に回転させることによってデータ転送速度の高速化が図られている。このため、ディスク装置には、ディスク上のトラックに追従して正確に情報を記録または再生するために、対物レンズをフォーカシング方向，トラッキング方向およびラジアルスキュー方向へ駆動する対物レンズ駆動装置が搭載されている。
【０００３】
一般的な対物レンズ駆動装置は、ヨークと永久磁石からなる磁気回路と、対物レンズとフォーカシングコイルとトラッキングコイルおよびチルトコイルを取付けたレンズホルダと、一端がこのレンズホルダの外縁部に固定されて他端が固定部に固定された直線状の支持部材とから構成される。このうち、対物レンズとレンズホルダとフォーカシングコイルとトラッキングコイルおよびチルトコイルが、支持部材によって固定部に対して動作可能に支持された可動部となる。
【０００４】
可動部の駆動は次のように行う。  
ヨークと永久磁石からなる磁気回路で作られる磁界の中で、フォーカシングコイルに電流を流し、電磁力を発生させて可動部をフォーカシング方向に駆動する。同様に、ヨークと永久磁石からなる磁気回路で作られる磁界の中で、トラッキングコイルに電流を流し、電磁力を発生させて可動部をトラッキング方向に駆動する。また、ヨークと永久磁石からなる磁気回路で作られる磁界の中で、チルトコイルに電流を流し、可動部を６本の支持部材の剛性バランスで決まる支持中心のまわりに回転駆動する。
【０００５】
このような対物レンズ駆動装置として、レンズホルダ内に対物レンズの光軸を囲むように、予め巻いておいたフォーカシングコイルを内蔵固定した１個のフォーカシングコイルと、４個のトラッキングコイルと、２個のチルトコイルを有する対物レンズ駆動装置（下記特許文献１に示す例）が知られている。
【先行技術文献】
【特許文献】
【０００６】
【特許文献１】特開２００６−１９０３８１号公報（請求項１，第３図）
【発明の概要】
【発明が解決しようとする課題】
【０００７】
上記従来技術では、フォーカシングコイルをレンズホルダ内へ挿入するために、レンズホルダの中央部分にフォーカシングコイルの外形より大きな穴を設ける必要があり、レンズホルダの剛性を十分に確保できない可能性があった。
【０００８】
本発明の目的は、薄型で剛性が高く、対物レンズが動作した時の対物レンズの傾きが小さく、かつ作業性に優れた対物レンズ駆動装置およびそれを用いたディスク装置を提供することにある。
【課題を解決するための手段】
【０００９】
上記目的は、光ディスクの記録面に光を集光する対物レンズと、この対物レンズを取付けたレンズホルダと、前記対物レンズをフォーカシング方向に動作させるためのフォーカシングコイルと、前記対物レンズをトラッキング方向に動作させるためのトラッキングコイルと、前記対物レンズをラジアルスキュー方向に動作させるためのチルトコイルと、前記レンズホルダを固定部に対して前記フォーカシング方向とトラッキング方向およびラジアルスキュー方向に動作可能に支持するための複数本の支持部材とを備えた対物レンズ駆動装置において、前記レンズホルダは複数本の支持部材のうち４隅に配置される４本の支持部材が貫通して固定される貫通部を有する突起を備えた本体と、前記複数の支持部材のうち中間に配置される２本の支持部材が貫通して固定される貫通部を有する分割部材を前記本体とは別体に備え、この分割部材は前記本体と結合する構成となっていることにより達成される。
【００１０】
前記フォーカシングコイルは、前記レンズホルダの本体の外縁部に前記対物レンズの光軸方向に並んだ前記突起の間に、前記対物レンズを囲むように前記レンズホルダの本体の外周に沿って巻回された１個のコイルで構成され、前記レンズホルダの分割部材は、前記フォーカシングコイルの上から外縁部に前記対物レンズの光軸方向に並んだ前記突起の間に結合されていることにより達成される。
【００１１】
前記チルトコイルは、前記対物レンズの光軸に平行で、かつ前記対物レンズの光軸に対してトラッキング方向の一方にずれた位置に巻回し中心を有する１個のコイルで構成されることにより達成される。
【００１２】
前記チルトコイルは、前記レンズホルダの本体の前記対物レンズを取付ける面に対向した開口面の外郭から前記対物レンズの光軸に平行で、前記対物レンズから遠ざかる方向に延長した延長部に巻回されていることにより達成される。
【００１３】
前記トラッキングコイルは、前記支持部材と平行な法線ベクトルを有する前記レンズホルダの本体の２つの側面のそれぞれに、前記対物レンズの光軸に対して点対称の配置となるよう前記対物レンズの光軸に対してトラッキング方向の互いに異なる方向へずれた位置に１個ずつ巻回しされた２個のコイルで構成されていることにより達成される。
【００１４】
前記トラッキングコイルは、前記レンズホルダの本体の２つの側面の、前記フォーカシングコイルの巻回部を跨いで設けた凸部に巻回されていることにより達成される。
【発明の効果】
【００１５】
本発明によれば、ディスクへの情報記録の高密度化と高速化および装置の薄型化を可能にした対物レンズ駆動装置およびそれを用いたディスク装置を提供できる。
【図面の簡単な説明】
【００１６】
【図１】本発明の一実施例を示す、対物レンズ駆動装置の斜視図である。
【図２】本発明の一実施例を示す、レンズホルダの分解図である。
【図３】本発明の一実施例を示す、レンズホルダの分解図である。
【図４】本発明の一実施例を示す、対物レンズ駆動装置のチルトコイルの配置を説明する正面図である。
【図５】本発明の一実施例を示す、対物レンズ駆動装置のチルトコイルの配置を説明する正面図である。
【図６】本発明の一実施例を示す、レンズホルダの延長部の位置を説明するレンズホルダの本体の（ａ）正面図と（ｂ）側面図である。
【図７】本発明の一実施例を示す、対物レンズ駆動装置のトラッキングコイルの配置を説明する上面図である。
【図８】本発明の一実施例を示す、対物レンズ駆動装置の可動部がｚ方向に動作したときにトラッキングコイルに発生する力を示す正面図である。
【図９】本発明の一実施例を示す、レンズホルダの凸部の位置を説明するレンズホルダの本体の（ａ）上面図と（ｂ）側面図である。
【図１０】本発明の対物レンズ駆動装置を搭載したディスク装置のブロック図である。
【発明を実施するための形態】
【００１７】
本発明は、光ディスクの記録面上に記録された情報を再生または情報の記録を行うために、対物レンズをフォーカシング方向，トラッキング方向およびラジアルスキュー方向に駆動して、対物レンズの焦点位置をディスクの記録面上の目標トラックに合わせる対物レンズ駆動装置について種々検討した結果以下のような実施例を得た。
【００１８】
以下、図面を参照して本発明の一実施例について説明する。
【実施例１】
【００１９】
図１は本発明の対物レンズ駆動装置７３の斜視図である。  
図１において、図中のｘ軸は図示されていないディスクの接線方向、ｙ軸は光ディスクの半径方向であるトラッキング方向、ｚ軸は対物レンズ７３１の光軸方向であるフォーカシング方向を表す。同図において、ｘ軸まわりの回転が、対物レンズ７３１の光軸の傾き方向であるラジアルスキュー方向となる。また、対物レンズ７３１が図示されていないディスクへ近づく方向を上、遠ざかる方向を下と定義する。
【００２０】
対物レンズ駆動装置７３は、ヨーク７３５と磁石７３６からなる磁気回路と、対物レンズ７３１とそれを取付けたレンズホルダからなる可動部と、この可動部を変位可能に支持する固定部７３３と、固定部７３３に接続され可動部を弾性支持する直線状の支持部材７３４ｐ，７３４ｃで構成される。
【００２１】
磁気回路は、可動部を挟んだ両側に両端が幅広で中央が幅狭の３つの磁石７３６をｙ方向に沿って交互に極性が異なるように連続して配置されて磁性体であるヨーク７３５に取付けられている。
【００２２】
なお、本実施例では、３つの磁石７３６をｙ方向に沿って交互に極性が異なるように連続して並べてあるが、１つの磁石をｙ方向に沿って両端の磁極を幅広、中央の磁極を幅狭の３極に着磁しても同様の効果が得られる。
【００２３】
可動部を構成するレンズホルダは、本体７３２ｍと２個の分割部材７３２ｓを結合して構成され、フォーカシングコイル７３７ａとトラッキングコイル７３７ｔとチルトコイル７３７ｒとが巻回しされている。支持部材７３４ｐ，７３４ｃは一端が固定部７３３の端面近辺に固定され、他端がレンズホルダの本体７３２ｍの両外縁部に設けた突起７３２３とレンズホルダの分割部材７３２ｓに開けた穴を貫通してフォーカシングコイル７３７ａ，トラッキングコイル７３７ｔ，チルトコイル７３７ｒと、基板７３８を中継してはんだ等によって電気的に接続されて外部から電流を供給する。
【００２４】
この支持部材７３４ｐ，７３４ｃはさらに、レンズホルダの本体７３２ｍの突起７３２３とレンズホルダの分割部材７３２ｓに開けた穴の位置でレンズホルダに接着剤等によって固定されている。
【００２５】
このような構成において、フォーカシングコイル７３７ａに電流を流すと、ヨーク７３５に取付けられた磁石７３６からの磁束の作用で生じる電磁力によって可動部が固定部７３３に対してフォーカシング方向であるｚ方向に移動する。トラッキングコイル７３７ｔに電流を流すと、ヨーク７３５に取付けられた磁石７３６からの磁束の作用で生じる電磁力によって固定部７３３に対して可動部がトラッキング方向であるｙ方向に移動する。同様にチルトコイルに電流を流すと、ヨーク７３５に取付けられた磁石７３６からの磁束の作用で生じる電磁力によって固定部７３３に対して可動部がラジアルスキュー方向であるｘ軸まわりに傾く。
【００２６】
まず、本実施例のレンズホルダとフォーカシングコイルの構造と配置について図２と図３を用いて説明する。
【００２７】
図２は本発明の一実施例を説明するためのレンズホルダの分解図である。  
図３は本発明の一実施例を説明するためのレンズホルダの分解図である。  
図２，図３において、６本の支持部材のうち４隅に配置される４本の支持部材７３４ｐの一端を固定するための貫通穴を有する突起７３２３を設けた本体と、６本の支持部材のうち中間に配置される残りの２本の支持部材７３４ｃの一端を固定するための貫通穴を有する２個の分割部材７３２ｓに分割されており、これらを結合して構成されることを第一の特徴としている。
【００２８】
なお、本体７３２ｍの突起７３２３と分割部材７３２ｓには、支持部材７３４ｃを通して接着剤で固定するための貫通穴の替わりに、図３に示すような溝を設け、この溝に支持部材押し当てて接着剤などで固定してもかまわない。
【００２９】
この分割部材７３２ｓによって、フォーカシングコイルをレンズホルダの側面に沿って巻回し可能にし、これにより作業の高速化が図れる。つまり、まずレンズホルダの本体７３２ｍをｚ軸まわりに回転させて、フォーカシングコイルをレンズホルダの本体７３２ｍの貫通穴を有する突起７３２３の間の一段下がった側面に沿って巻回し、その後、フォーカシングコイルの上からその突起７３２３の間にレンズホルダの分割部材７３２ｓを接着剤などによって結合すればよい。
【００３０】
また、予めフォーカシングコイルを巻回してレンズホルダに後から取付ける場合に必要であったレンズホルダの穴が不要になるため、レンズホルダの剛性が向上し、振動を抑えることができる。さらに、フォーカシングコイルを支持部材と同じ高さに配置できるのでレンズホルダの薄型化が図れる。
【００３１】
次に、チルトコイルの構成と配置について図４から図６を用いて説明する。
【００３２】
図４は本発明の一実施例である対物レンズ駆動装置のチルトコイルの配置を説明する正面図である。
【００３３】
図５は本発明の一実施例である対物レンズ駆動装置のチルトコイルの配置を説明する正面図である。
【００３４】
図４，図５において、本実施例のチルトコイルは図４のように、対物レンズ７３１の光軸と平行で、かつ対物レンズ７３１の光軸に対してｙ方向の一方にずれた位置に巻回し中心Ｌ３を有すように、レンズホルダの下方に巻回しされた１個のコイルで構成されることを第二の特徴としている。
【００３５】
これにより、チルトコイル７３７ｒに電流を流すと、対向する幅広の磁石７３６からの磁束の作用でｚ軸方向の電磁力が、対物レンズ７３１の光軸Ｌ１に対してｙ方向の片側のみに生じる。この電磁力による回転モーメントで対物レンズ７３１をラジアルスキュー方向へ傾かせることができる。この場合、回転中心が対物レンズ７３１の光軸上にないため、対物レンズ７３１のフォーカシング方向の位置も移動するが、これはフォーカシングコイル７３７ａに流す電流を操作することで対物レンズ７３１のフォーカシング方向の位置とラジアルスキュー方向の傾きを同時に補正できる。このように、チルトコイルを１個にすることによって可動部の軽量化が図れ、対物レンズ７３１を駆動するために必要な電力を低減できる。
【００３６】
また、さまざまな規格のディスクへ対応するために、図５のようにレンズホルダに２個の対物レンズが搭載される場合には、中寄りの対物レンズ７３１の光軸Ｌ１に対して、ｙ方向の端寄りの対物レンズ７３１の光軸Ｌ２とは反対側にチルトコイル７３７ｒを配置することによって、重心を可動部の中央に近づける効果が得られ、カウンターウェイトが不要となる。したがって、可動部の軽量化が図れ、対物レンズ７３１を駆動するために必要な電力を低減できる。
【００３７】
図６は本発明の一実施例であるレンズホルダ延長部の位置を説明するレンズホルダの本体の（ａ）正面図と（ｂ）側面図である。
【００３８】
図６において、本実施例のレンズホルダの本体７３２ｍは、図６のように下方の開口面の外郭から対物レンズ７３１の光軸の下方向に延長した延長部７３２４を設けていることを第三の特徴としている。  
これら第二，第三の特徴によって、チルトコイル７３７ｒをレンズホルダの本体７３２ｍの下方に設けた延長部７３２４に沿って巻回し可能にし、これにより作業の高速化が図れる。つまり、チルトコイル７３７ｒを１個にすることによってレンズホルダ本体７３２ｍの下面で一段高いのは、そのチルトコイル７３７ｒを巻回しする延長部７３２４のみとなるから、レンズホルダの本体７３２ｍを固定してコイル線を移動させながら巻回したり、予め巻回したコイルを後から取付けたりする必要がない。したがって、レンズホルダの本体７３２ｍをｚ軸まわりに回転させて、チルトコイル７３７ｒをレンズホルダの本体７３２ｍの延長部７３２４に沿って巻回しすることができる。
【００３９】
最後に、トラッキングコイルの構成と配置について図７から図９を用いて説明する。    図７は本発明の一実施例である対物レンズ駆動装置のトラッキングコイルの配置を説明する上面図である。  
図８は本発明の一実施例である対物レンズ駆動装置の可動部がｚ方向に動作したときにトラッキングコイルに発生する力を示す正面図である。  
図９は本発明の一実施例であるレンズホルダの凸部の位置を説明するレンズホルダの本体の（ａ）上面図と（ｂ）側面図である。
【００４０】
本実施例のトラッキングコイル７３７ｔは、図７のようにレンズホルダの対物レンズ７３１を挟んだｘ方向の２側面のそれぞれに１個ずつ、可動部を上から見たｘ−ｙ平面において対物レンズ７３１の光軸Ｌ１に対して点対称の配置となるように対物レンズ７３１の光軸に対してそれぞれｙ方向の異なる方向へずれた位置に巻回ししていることを第四の特徴としている。
【００４１】
図８は、本実施例の対物レンズ駆動装置７３の磁石７３６によるｘ方向の磁束密度の分布状態と、可動部が中立状態からｚ方向にΔｚだけ動作した状態で、トラッキングコイル７３７ｔを駆動させたときに、トラッキングコイル７３７ｔのｚ軸と平行な辺に生じるトラッキング方向であるｙ方向の電磁力と、それに付随してトラッキングコイルのｙ軸と平行な辺に生じるフォーカシング方向であるｚ方向の電磁力を図示したものである。
【００４２】
図示のように、対物レンズ７３１がｚ方向にΔｚだけ動作した状態でトラッキングコイル７３７ｔに電流を流すと、トラッキングコイル７３７ｔにはそのｚ軸と平行な辺にｙ方向の電磁力が発生すると同時に、これに付随してｘ軸と平行な辺にも、ｚ方向の電磁力が生じてしまう。
【００４３】
まず、ｙ方向の電磁力に関してその影響について述べる。  
本実施例では、２個のトラッキングコイル７３７ｔの巻数と辺の長さを等しく巻回してある。またこれらを直列に接続しているのでコイルに流れる電流は等しい。そして磁石７３６の磁束密度もすべて等しくしているので、幅の広い磁石と対向している場所でのｙ方向の電磁力が幅の狭い磁石と対向している場所でのｙ方向の電磁力よりも大きくなる。このｙ方向の電磁力は可動部をトラッキング方向に駆動するための駆動力であり、この力の作用点は、ｙ−ｚ平面において、可動部の重心を通りｙ軸に平行な直線上にほぼ位置するので、可動部を回転させるモーメントをほとんど発生させない。
【００４４】
次に、ｚ方向の電磁力に関してその影響について述べる。  
磁石７３６が作るｘ方向の磁束密度は、図８の右側に示すグラフのように磁石７３６の中央部分ではほぼ一様であるが、磁石７３６の上下端となる周辺部では徐々に小さくなるため、トラッキングコイル７３７ｔのｙ軸と平行な上辺の位置と下辺の位置での磁束密度には不釣合いが生じる。ゆえに、２個のトラッキングコイル７３７ｔに発生するｚ方向の電磁力は、本実施例のように２個のトラッキングコイル７３７ｔの巻数，辺の長さ，流れる電流がすべて等しい場合、その位置での磁束密度によって決まり、結果としてトラッキングコイル７３７ｔには差し引きｚ方向に上向きの電磁力が作用する。
【００４５】
ところが本実施例では、２個のトラッキングコイル７３７ｔを対物レンズ７３１の光軸Ｌ１、すなわち可動部の重心を通りｚ軸に平行な軸に対して線対称に配置しているので、このｚ方向の電磁力も可動部の重心を通りｚ軸に平行な軸に対して線対称になる。よって、このｚ方向の電磁力による回転モーメントは釣り合い、可動部を回転させるモーメントはほとんど発生しない。このように、本実施例の第四の特徴により、対物レンズ７３１が動作した場合においても、ｙ方向への駆動力に付随してトラッキングコイル７３７ｔに生じる回転モーメントを低減できるので、対物レンズ７３１の傾きを小さくできる。
【００４６】
また、本実施例のレンズホルダの本体７３２ｍは、図９のようにトラッキングコイルが巻回しされる２つの側面のそれぞれにフォーカシングコイルの巻回部を跨いで凸部７３２５設けていることを第五の特徴としている。
【００４７】
これら第四，第五の特徴によって、トラッキングコイルをレンズホルダの側面に設けた凸部７３２５に沿って巻回し可能にし、これにより作業の高速化が図れる。
【００４８】
つまり、トラッキングコイルを１つの側面に付き１個にすることによってレンズホルダの本体７３２ｍの側面で一段高いのは凸部７３２５のみとなるから、レンズホルダの本体７３２ｍを固定してコイル線を移動させながら巻回したり、予め巻回したコイルを後から取付けたりする必要がなく、レンズホルダの本体７３２ｍをｘ軸まわりに回転させて、２個のトラッキングコイルをレンズホルダの本体７３２ｍの２つの側面にフォーカシングコイルの巻回部を跨いで設けた凸部７３２ｍに沿ってそれぞれ巻回しすることができる。
【００４９】
また第二，第三，第五の特徴によって、すべての駆動コイルをレンズホルダに直接巻回しが可能となり、これにより作業の高速化が図れる。
【００５０】
このように本実施例の特徴により、薄型で剛性が高く、対物レンズ７３１が動作した時の対物レンズ７３１の傾きが小さく、かつ作業性に優れた対物レンズ駆動装置を提供できる。
【実施例２】
【００５１】
図１０は本発明の対物レンズ駆動装置７３を適用したディスク装置１のブロック図である。  
図１０において、ディスク装置１は、ディスク３を回転させるスピンドルモータ５と、ディスク３の情報を再生またはディスク３に情報を記録する光学ヘッド７と、これらを制御する信号処理回路２を備えている。光学ヘッド７は、対物レンズ駆動装置７３と、レーザダイオード７１や光検出器７２などの光学部品を備えている。レーザダイオード７１には、レーザ駆動回路７４が接続されている。
【００５２】
ディスク回転制御回路６は、信号処理回路２からの指令を受けて、ディスク３を搭載したスピンドルモータ５を回転する。送り制御回路８は、信号処理回路２からの指令を受けて、フィードモータ４を駆動して光学ヘッド７をディスク３の半径方向の所定位置に移動させる。レーザ駆動回路７４は、信号処理回路２からの指令を受けてレーザダイオード７１を発光させる。レーザダイオード７１で発光されたレーザ光は対物レンズ７３１によってディスク３上に集光される。集光されたレーザ光はディスク３で反射し、対物レンズ７３１を通過して光検出器７２に入射する。
【００５３】
光検出器７２で得られた検出信号は、サーボ信号検出回路１０および再生信号検出回路１１に送られる。サーボ信号検出回路１０は、検出信号に基づいてサーボ信号を生成し、対物レンズ駆動回路９へ送信する。対物レンズ駆動回路９は、対物レンズ駆動装置７３へ駆動電力を入力し、対物レンズ７３１を位置決め制御する。再生信号検出回路１１は、検出信号から再生信号を生成し、ディスク３の情報を再生する。
【００５４】
このように、このディスク装置１は、本発明の対物レンズ駆動装置７３を適用しているので、ディスク３への情報記録の高密度化と高速化およびディスク装置１の薄型化が可能となる。
【００５５】
本発明は以上のごとく、レンズホルダを複数本の支持部材のうち４隅に配置される４本の支持部材が貫通して固定される貫通部を有する突起を備えた本体と、複数の支持部材のうち中間に配置される２本の支持部材が貫通して固定される貫通部を有する分割部材を本体とは別体に備え、この分割部材を本体と結合させて構成したものである。
【００５６】
そしてフォーカシングコイルをレンズホルダの本体の外縁部に対物レンズの光軸方向に並んだ突起の間に、対物レンズを囲むようにレンズホルダの本体の外周に沿って巻回された１個のコイルで構成し、レンズホルダの分割部材は、フォーカシングコイルの上から外縁部に対物レンズの光軸方向に並んだ突起の間に結合すると良いことが分かった。
【００５７】
また、チルトコイルを対物レンズの光軸に平行で、かつ対物レンズの光軸に対してトラッキング方向の一方にずれた位置に巻回し中心を有する１個のコイルで構成すると良いことが分かった。そして、チルトコイルをレンズホルダの本体の対物レンズを取付ける面に対向した開口面の外郭から対物レンズの光軸に平行で、対物レンズから遠ざかる方向に延長した延長部に巻回すると良い。
【００５８】
さらに、トラッキングコイルを、支持部材と平行な法線ベクトルを有するレンズホルダ本体の２つの側面のそれぞれに、対物レンズの光軸に対して点対称の配置となるよう対物レンズの光軸に対してトラッキング方向の互いに異なる方向へずれた位置に１個ずつ巻回しされた２個のコイルで構成すると良い。そして、トラッキングコイルをレンズホルダの本体の２つの側面の、フォーカシングコイルの巻回部を跨いで設けた凸部にすると良い。
【００５９】
フォーカシングコイルをレンズホルダの側面に沿って巻回し可能にし、これにより作業の高速化が図れる。したがって、予め巻いておいたフォーカシングコイルを取付けるための穴をレンズホルダに設ける必要がなくなるため、レンズホルダの剛性を向上でき、振動を抑えることができる。さらに、フォーカシングコイルを支持部材と同じ高さに配置できるのでレンズホルダの薄型化が図れる。
【００６０】
また、チルトコイルを１個にすることによって可動部の軽量化が図れ、対物レンズを駆動するために必要な電力を低減できる。そして、チルトコイルをレンズホルダの下方に設けた延長部に沿って巻回し可能にし、これにより作業の高速化が図れる。
【００６１】
さらに、対物レンズが動作した場合においても、トラッキングコイルに生じる回転モーメントを低減できるので、対物レンズの傾きを小さくできる。そして、トラッキングコイルをレンズホルダの側面に設けた凸部に沿って巻回し可能にし、これにより作業の高速化が図れる。
【００６２】
以上のように、薄型で剛性が高く、対物レンズが動作した時の対物レンズの傾きが小さく、かつ作業性に優れた対物レンズ駆動装置を提供でき、それを用いたディスク装置において、ディスクへの情報記録の高速化と装置の薄型化を可能にする。
【符号の説明】
【００６３】
１  ディスク装置
２  信号処理回路
３  ディスク
４  フィードモータ
５  スピンドルモータ
６  ディスク回転制御回路
７  光学ヘッド
８  送り制御回路
９  対物レンズ駆動回路
１０  サーボ信号検出回路
１１  再生信号検出回路
７１  レーザダイオード
７２  光検出器
７３  対物レンズ駆動装置
７４  レーザ駆動回路
７３１  対物レンズ
７３２ｍ  レンズホルダ本体
７３２ｓ  分割部材
７３３  固定部
７３４ｐ，７３４ｃ  支持部材
７３５  ヨーク
７３６  磁石
７３７ａ  フォーカシングコイル
７３７ｒ  チルトコイル
７３７ｔ  トラッキングコイル
７３８  基板
７３２３  突起
７３２４  延長部
７３２５  凸部
Ｌ１，Ｌ２  対物レンズの光軸
Ｌ３  チルトコイルの巻回し中心
Ｃ  可動部の重心
【図１】
2010244647.tif 000003
【図２】
2010244647.tif 000004
【図３】
2010244647.tif 000005
【図４】
2010244647.tif 000006
【図５】
2010244647.tif 000007
【図６】
2010244647.tif 000008
【図７】
2010244647.tif 000009
【図８】
2010244647.tif 000010
【図９】
2010244647.tif 000011
【図１０】
2010244647.tif 000012